(57)【特許請求の範囲】
【請求項１】
タイルパネルの交差するコーナー部に設けられる出隅材であって、該出隅材は、前記コーナー部に予め固設される受材と、該受材に外側より連結されて前記コーナー部を覆蓋する被せ材で構成され、該被せ材の表面にはタイルが貼着されている出隅材において、前記受材の固定片が、縦方向に間隔をおいて切欠部を有する千鳥状に切断加工されていることを特徴とする出隅材。
【請求項２】
タイルパネルの交差するコーナー部に設けられる出隅材であって、該出隅材は、前記コーナー部に予め固設される受材と、該受材に外側より連結されて前記コーナー部を覆蓋する被せ材で構成され、該被せ材の表面にはタイルが貼着されている出隅材において、前記被せ材にはフラットな覆蓋片が形成され、該覆蓋片の表面にタイルのフラットな裏面が貼着されていることを特徴とする出隅材。
【発明の詳細な説明】
【０００１】
【産業上の利用分野】
この発明は、タイルパネルの交差するコーナー部に設けられる出隅材に関するものである。
【０００２】
【従来の技術及びその課題】
従来、図１１の平面断面図で示すように、柱１の外側に壁２が形成され、その外側に胴縁３を設けて、表面にタイル４ａが貼着されてなるタイルパネル４を建付け、このタイルパネル４，４の交差するコーナー部を出隅材５で覆蓋しており、この出隅材５は、胴縁３に固定される受材７と、この受材７に対し外側より連結される被せ材８で構成されており、従来においては、この被せ材８は金属で形成されているため、被せ材８がコーナー部に露出し、前記タイルパネル４の表面のタイルとの整合性が悪く、意匠性に乏しいものとなっていた。
また、図１２に示すように、タイルパネル４，４が鈍角をなして交差する部位に従来の出隅材５を取り付けると、出隅材５の被せ材８が図１２のように出っ張った突条となり、見栄え性が悪くなってしまうという問題点があった。
【０００３】
【課題を解決するための手段】
本発明は上記従来の問題点に鑑み案出したものであって、意匠性を向上させることのできる出隅材を提供せんことを目的とし、その第１の要旨は、タイルパネルの交差するコーナー部に設けられる出隅材であって、該出隅材は、前記コーナー部に予め固設される受材と、該受材に外側より連結されて前記コーナー部を覆蓋する被せ材で構成され、該被せ材の表面にはタイルが貼着されている出隅材において、前記受材の固定片が、縦方向に間隔をおいて切欠部を有する千鳥状に切断加工されていることである。
また、第２の要旨は、タイルパネルの交差するコーナー部に設けられる出隅材であって、該出隅材は、前記コーナー部に予め固設される受材と、該受材に外側より連結されて前記コーナー部を覆蓋する被せ材で構成され、該被せ材の表面にはタイルが貼着されている出隅材において、前記被せ材にはフラットな覆蓋片が形成され、該覆蓋片の表面にタイルのフラットな裏面が貼着されていることである。
【０００４】
【実施例】
以下、本発明の実施例を図面に基づいて説明する。
図１は、建物の外壁のコーナー部の施工状態を示す斜視構成図であり、柱１の外側には壁２が形成され、この壁２の外側に胴縁３，３が設けられて、この胴縁３，３の外側に、表面にタイル４ａを貼着してなるタイルパネル４が建て付けられており、このタイルパネル４，４の交差するコーナー部には出隅材５が取り付けられているが、本例の出隅材５の表面にはタイル６，６が予め貼着されており、このタイル６は前記タイルパネル４のタイル４ａと同一のタイルが用いられたものとなっており、また、この出隅材５のタイル６，６間で形成される横目地６ａは、前記タイルパネル４のタイル４ａ，４ａ間で形成される横目地４ｂと整合するように形成されており、出隅材５の施工状態においては、横目地６ａと横目地４ｂが整合してスッキリとした意匠性に優れた外観形状を呈し、出隅材５とタイルパネル４が一体的に視認されて建物の美観が極めて向上されたものとなる。
【０００５】
この断面図を図２に示すが、前記出隅材５は、前記胴縁３にビス等を介し予め固定される受材７と、この受材７に対し外側より連結される被せ材８で構成されており、受材７は、胴縁３に当接状に固定される固定片７ａと、この固定片７ａの内側に一体形成されたコーナー片７ｂと、コーナー片７ｂから外側へ突出して一体形成された嵌合部７ｃで構成されており、また、前記被せ材８は、コーナーを覆蓋するフラットな覆蓋片８ａの両端側に側縁折片８ｂ，８ｂが形成され、また、覆蓋片８ａの裏側には突出状に挿入片８ｃが一体形成されて、この挿入片８ｃを前記受材７の嵌合部７ｃ内に外側より差し込むことにより、被せ材８が受材７に連結されるものであり、被せ材８の側縁折片８ｂがタイルパネル４の端縁部の外側に当接して、タイルパネル４，４の交差するコーナー部を良好に覆蓋することができ、前記覆蓋片８ａの表面側にはタイル６が予め貼着されているため、このタイル６が表面に露出して意匠性を高めることができるものであり、タイルパネル４，４を建て付けた後に、被せ材８を受材７に連結させて容易にコーナー部を施工することができるものである。
【０００６】
なお、図１及び図２では、前記タイル６は、タイルパネル４のタイル４ａと同様な平タイルが用いられているが、図３及び図４の断面図で示すようなタイル６を被せ材８の表面に貼着等して用いることもでき、被せ材８の覆蓋片８ａはフラットに形成されているため、タイル６の裏面をフラットに形成させて、覆蓋片８ａにタイル６の裏面を良好に貼着することができる。即ち、図３のような出隅の外観を形成させるために、図１０に示すようなタイル６を作ると、タイルパネル４の横目地４ｂと整合させて横目地６ａを作る際に流動性の接着剤が垂れて貼りにくくなり、また、タイル６の裏面がフラットでないため、タイルの製造が困難となる。しかし、本例で使用するタイル６はすべて裏面をフラットに形成させているため、製造が容易で、タイル貼りがし易く、見栄えの良い出隅を形成させることができる。
【０００７】
なお、図５は変形例を示すものであり、図５では、出隅材５の表面に縦長状のタイル６が貼着されたもので、横目地６ａをタイルパネル４の横目地４ｂと整合させないものであり、このような出隅材５では、施工する際にタイルパネル４の横目地４ｂと整合させて施工する必要がなく、施工が容易なものとなる。また、縦長状のタイル６は、前記タイルパネル４のタイル４ａと同じものを縦長状に用いて、タイルの生産上の効率を高めることができる。
なお、図６の断面図で示すものは、縦長状のタイル６に外側へ膨出する湾出部６ｂが形成されたものであり、タイル６にボリューム感があり、建物のコーナー部にこの湾出部６ｂが配置されてコーナー部の高級感が得られるものである。
【０００８】
さらに図７に示すような、表面側へ山状に突出した錐形状断面を有する縦長状のタイル６を用いることもでき、このような形状のタイルを予め被せ材８の表面に貼り付けておき、コーナー部の意匠性を高め、建物の高級感を演出させることができるものである。
【０００９】
なお、このようにタイル６を表面に貼着した出隅材５は、図８に示すように、タイルパネル４，４が鈍角に交差する部位にも良好に用いることができるものである。なおこの場合、図８では胴縁３，３も鈍角に配置されるため、この胴縁３，３に対し良好に受材７を取り付けるために、予め受材７を図９の斜視図で示すように、固定片７ａに縦方向に間隔をおいて切欠部Ｋ，Ｋを形成させ、対向状に千鳥状をなすように現場で切断しておけば、左右の固定片７ａ，７ａを両側へ無理なく開けて、良好に胴縁３，３の表面に当接させてビス１０で固定させることができ、予め千鳥状に切断して形成しておけば受材７の取付けが容易なものとなり、受材７を胴縁３に固設した後に、表側より受材７の嵌合部７ｃに被せ材８の挿入片８ｃを差し込んで被せ材８を連結させることができ、被せ材８の側縁折片８ｂが良好にタイルパネル４，４の端部の外側に当接されて、交差する部分を良好に覆蓋することができ、この場合にも被せ材８の表面に貼着されたタイル６が良好な意匠性を呈し、建物の高級感を演出させることができるものとなる。
なお、固定片７ａに縦方向に間隔をおいて切欠部Ｋ，Ｋを形成させ千鳥状をなすように切断しておけば、タイルパネル４，４が鋭角に交差する部位においても施工がし易くなる。
【００１０】
【発明の効果】
本発明は、タイルパネルの交差するコーナー部に設けられる出隅材であって、該出隅材は、前記コーナー部に予め固設される受材と、該受材に外側より連結されて前記コーナー部を覆蓋する被せ材で構成され、該被せ材の表面にはタイルが貼着されている出隅材において、前記受材の固定片が、縦方向に間隔をおいて切欠部を有する千鳥状に切断加工されていることにより、被せ材を受材に連結すると、被せ材の表面のタイルによりタイルパネルの交差するコーナー部の意匠性が高められて、建物の高級感を良好に演出することができる。また、固定片を両側へ無理なく開けて固定させることができ、受材の取付けが容易なものとなり、タイルパネルが鈍角等に交差する部位にも良好に用いることができる効果を有する。
【００１１】
また、前記被せ材にはフラットな覆蓋片が形成され、該覆蓋片の表面にタイルのフラットな裏面が貼着されていることにより、タイルの裏面がフラットなので製造し易く、しかも見栄えの良い出隅材とし得る効果を有する。
【図面の簡単な説明】
【図１】  コーナー部に平タイルを表面に有する出隅材を施工した状態の要部斜視構成図である。
【図２】  図１の平面断面構成図である。
【図３】  コーナー部にタイルを表面に有する出隅材を施工した状態の要部斜視構成図である。
【図４】  図３の平面断面構成図である。
【図５】  横目地の整合しない縦長状のタイルを有する出隅材をコーナーに施工した図１に対応した斜視構成図である。
【図６】  異なる断面形状の縦長状のタイルを貼着してなる出隅材の施工状態の平面断面構成図である。
【図７】  さらに異なる断面形状の縦長状タイルを貼着してなる出隅材の施工状態の平面断面構成図である。
【図８】  鈍角に交差する部分に出隅材を施工した状態の平面断面構成図である。
【図９】  鈍角に交差する部分において、千鳥状に加工した受材を固定した状態の斜視構成図である。
【図１０】  製造しいくく、貼りにくいタイルを例示する説明図である。
【図１１】  従来の出隅材をコーナー部に施工した断面構成図である。
【図１２】  従来の出隅材を鈍角に交差する部分に施工した断面構成図である。
【符号の説明】
１  柱
２  壁
３  胴縁
４  タイルパネル
４ａ  タイル
４ｂ  横目地
５  出隅材
６  タイル
６ａ  横目地
７  受材
７ａ  固定片
７ｂ  コーナー片
７ｃ  嵌合部
８  被せ材
８ａ  覆蓋片
８ｂ  側縁折片
８ｃ  挿入片
【図１】
0003752649.tif 000002
【図２】
0003752649.tif 000003
【図３】
0003752649.tif 000004
【図４】
0003752649.tif 000005
【図５】
0003752649.tif 000006
【図６】
0003752649.tif 000007
【図７】
0003752649.tif 000008
【図８】
0003752649.tif 000009
【図９】
0003752649.tif 000010
【図１０】
0003752649.tif 000011
【図１１】
0003752649.tif 000012
【図１２】
0003752649.tif 000013